(57)【要約】【課題】本発明は、取り付け強度を増加させ、外観の悪化を防ぎ、複数の引込線を広範囲から家屋の一部に集約できるようにし、家屋の造営材の損傷を防ぐことを課題とする。【解決手段】低圧架空引込線を家屋内に引き込むために該家屋に設置される引込用腕具１であって、三角形状を有し、所定の固定手段により家屋の軒天井に固定される家屋側固定部材２と、三角形状を有し、所定の固定手段により前記家屋側固定部材２に固定され、低圧架空引込線が巻回される碍子を係止する係止部１０ａ，１０ｂ，１０ｃを有する引込線係止部材３とを具備する。【選択図】図１
2007116841.tif 000002
【特許請求の範囲】
【請求項１】
低圧架空引込線を家屋内に引き込むために該家屋に設置される引込用腕具であって、
三角形状を有し、所定の固定手段により家屋の軒天井に固定される家屋側固定部材と、
三角形状を有し、所定の固定手段により前記家屋側固定部材に固定され、低圧架空引込線が巻回される碍子を係止する係止部を有する引込線係止部材と、
を具備することを特徴とする引込用腕具。
【請求項２】
前記係止部が複数設けられていることを特徴とする請求項１記載の引込用腕具。
【請求項３】
前記家屋側固定部材の前記引込線係止部材と当接する辺は、該引込線係止部材の当接する辺よりも幅が大きく形成され、該引込線係止部材は、該家屋側固定部材の当接する辺の前記軒天井から遠い部分に固定されることを特徴とする請求項１又は２記載の引込用腕具。
【発明の詳細な説明】
【技術分野】
【０００１】
本発明は、低圧架空引込線を家屋等の建物内に引き込むために用いられる道具であって、建物側に設置するものに関する。
【背景技術】
【０００２】
図４に示すように、電柱１００から延びる電力線、電話線等の低圧架空引込線１０１は、分岐用の碍子１０２や、家屋側に設けられる所定の引込手段１１０を利用して、木１０７等の障害物を避けるように家屋１０５，１０６内に引き込まれる。
【０００３】
図５に示すのは、前記引込手段１１０の一例であり、引込線１０１は、家屋１０６に固定された碍子１１５に係止され、所定のたるみをもって家屋１０６内に引き込まれる。この碍子１１５は、その一端側が、家屋１０６の造営材である破風板１２０にねじ等により固定された曲がりリング１２２と、被導電性の連結線１２３を介して連結し、他端側には前記引込線１０１が係止されている。この従来構造においては、前記曲がりリング１２２が、排水路として屋根の下部に設けられる軒樋１２４の上部を横切る形で設けられる。
【０００４】
また、本発明と同様の利用分野における従来技術として、次のようなものが開示されている（特許文献１参照）。この従来技術は、横杆（１）の先部に連結部材（５）を介して縦杆（４）を取付けてあり、連結部材（５）は円形の対板（１５）の裏面に舌片（１８）を対板（１５）に直立する状態で連接したもので、横杆（１）の先部側面に舌片（１８）を回動可能に取付け、横杆（１）先部と舌片（１８）とに幾つかの回動角で連通し得る通孔（９）と調整孔（１７）を設けると共に、対板（１５）の表面側に縦杆（４）中央部に付設した円板（１３）を回動可能に取付け、円板（１３）と対板（１５）とに幾つかの回動角で連通し得る通孔（９）と調整孔（１７）を設けるものである。
【特許文献１】実開昭６４−１２４２６号公報
【発明の開示】
【発明が解決しようとする課題】
【０００５】
上記図５に示すような従来構造においては、曲がりリング１２２を破風板１２０に直接ねじ等により固定するため、強度の不足、外観の悪化等の問題がある。また、曲がりリング１２２は家屋１０６の壁面から延出するように設置されるため、家屋１０６の壁面の１面側からしか引込線３４を引き込むことができず、その角度は最大でも１８０°である。更に、１つの曲がりリング１２２に多くのケーブルを係止することができないため、多くのケーブルを係止する場合にはケーブル毎に曲がりリング１２２を設置する必要があった。更にまた、曲がりリング１２２が軒樋１２４近傍の上部を横切ることにより、取付け作業が困難であると共に軒樋１２４や屋根を破損させる場合があった。また、上記特許文献１に開示される構造においても、破風板（６）に直線形状の横杆（１）を直接固定するため、強度の不足、外観の悪化等の問題があり、また構造の複雑さに伴い、コスト、強度等に問題があると思われる。
【０００６】
そこで、本発明は、取り付け強度を増加させ、外観の悪化を防ぎ、引込線を広範囲から引き込めるようにし、複数の引込線を家屋の一部に集約できるようにし、家屋の造営材の損傷を防ぐことを課題とする。
【課題を解決するための手段】
【０００７】
上記課題を解決するために、本発明は、低圧架空引込線を家屋内に引き込むために該家屋に設置される引込用腕具であって、三角形状を有し、所定の固定手段により家屋の軒天井に固定される家屋側固定部材と、三角形状を有し、所定の固定手段により前記家屋側固定部材に固定され、低圧架空引込線が巻回される碍子を係止する係止部を有する引込線係止部材とを具備することを特徴とするものである（請求項１）。
【０００８】
この構造によれば、家屋側固定部材は軒天井の角部にあてがわれ、ねじ、ボルト等の固定手段により固定される。そして、引込線係止部材が家屋側固定部材に固定され、この引込線係止部材に設けられた係止部に非導電性のワイヤ等を介して碍子が固定され、この碍子に電柱からの引込線が巻回されて係止され、この引込線は所定のたるみをもって家屋内に引き込まれる。
【０００９】
このように、家屋側固定部材が三角形状を有することにより、引込用腕具を軒天井の角部に強固に固定することが可能となり、引込線係止部材もまた三角形状を有することにより、引込線の張力が分散され、強度が向上する。また、引込用腕具を軒天井の角部に設置することにより、家屋の壁面の２面側から引込線を引き込むことができ、引込線を引き込むことができる角度は最大で２７０°となる。更に、外観を損なうことがなく、和洋を問わず、ほとんどの家の形状に適合することができる。
【００１０】
また、上記請求項１記載の構成において、前記係止部が複数設けられていることが好ましい（請求項２）。
【００１１】
これにより、電気、電話、インターネット等の様々な引込線を、１つの引込用腕具に集約することができる。
【００１２】
また、上記請求項１又は２記載の構成において、図１（ｃ）に示すように、前記家屋側固定部材２の前記引込線係止部材３と当接する辺５ａは、該引込線係止部材３の当接する辺１０ａよりも幅が大きく形成され、該引込線係止部材３は、該家屋側固定部材２の当接する辺５ａの前記軒天井から遠い部分に固定されることが好ましい（請求項２）。
【００１３】
これにより、図１（ｂ）に示すように、引込線係止部材３は家屋側固定部材２の下部側から延出され、図３に示すように、軒樋２８の下方から引込線係止部材３を延出させることができる。これにより、軒樋２８、屋根瓦２６等の造営材の破損を防ぐことができる。
【発明を実施するための最良の形態】
【００１４】
以下、添付した図面を参照して本発明の実施例を説明する。図１（ａ），（ｂ），（ｃ）に示す本実施例に係る引込用腕具１は、家屋側固定部材２と引込線係止部材３とからなり、両者２，３とも上面視（図１（ａ）参照）三角形状になっている。家屋側固定部材２は、アルミ合金等からなり、枠部材５と三角板６とから構成される。枠部材５は二等辺部５ａ，５ｂと長辺部５ｃとからなり、これらによって二等辺三角形が形成される。三角板６は、前記二等辺部５ａ，５ｂの連結部に固定され、家屋側固定部材２の強度を増加させる効果を奏するものである。枠部材５及び三角板６には、直径７ｍｍ程度の孔７が複数穿設されており、家屋側固定部材２を家屋の造営材に固定させるためのねじ等の固定部材を挿通可能になされていると共に、二等辺部５ｂにも家屋側固定部材２を家屋の造営材に固定させるためのボルト、ナット等からなる固定部材１５が配置されている。また、矢印Ａからみた図である図１（ｂ）、及びＢ−Ｂ'断面図である図１（ｃ）に示すように、二等辺部５ａは、Ｔ字形状を有しており、ボルト、ナット等からなる固定部材１４により後述する引込線係止部材３がこの二等辺部５ａに固定されている。
【００１５】
引込線係止部材３は、アルミ合金等からなり、３本の枠部材１０ａ，１０ｂ，１０ｃと、３つのリング部材１１ａ，１１ｂ，１１ｃとからなっている。前記家屋側固定部材２の二等辺部５ａと当接する枠部材１０ａは、図１（ｃ）に示すように、前記固定部材１４により二等辺部５ａに固定される。リング部材１１ａ，１１ｂ，１１ｃは、中央に穴１６が穿設された金属からなる板状の部材であり、枠部材１０ｂの外側の面に穴１６の貫通方向が上下になるように溶接等により固定されている。
【００１６】
上記構成の引込用腕具１は、図２及び図３に示すように、家屋２０の軒天井２２の角部に、その下方側から固定されて使用される。図２に示すように、家屋側固定部材２の枠部材５及び三角板６が軒天井２２の角部にあてがわれ、孔７にねじ等をねじ込むと共に、固定部材１５を軒天井２２の側面にねじ込むことにより、軒天井２２に家屋側固定部材２を固定する。この家屋側固定部材２には、引込線係止部材３が上述のように固定部材１４により固定され、引込線係止部材３の枠部材１０ｂ及び１０ｃが、屋根瓦２６の下端部に配置される軒樋２８の下方から延出される。そして、引込線係止部材３のリング部材１１ａ，１１ｂ，１１ｃに、非導電性のワイヤ２３を介して碍子３０が固定され、各碍子３０に電柱からの引込線３４が巻回されて係止され、この引込線３４は碍子３０以降は張力が緩和されて所定のたるみをもって家屋２０内に引き込まれる。
【００１７】
上記のように、本発明に係る引込用腕具１においては、家屋側固定部材２が三角形状を有していることにより、この家屋側固定部材２を軒天井２２の下方側に十分な固定強度をもって固定することができ、また引込線係止部３が三角形状を有していることにより、引込線３４の張力を効率的に分散されることができる。また、引込用腕具１が家屋（軒天井２２）の角部に設置されることにより、２７０°の広い角度から引込線３４を引き込むことができる。更に、引込線係止部３に複数のリング部材１１ａ，１１ｂ，１１ｃが設けられていることにより、家の角に電気、電話、インターネット等の全ての引込線３４を集約することができ、外観を損なうこともない。更にまた、引込線３４を係止する引込線係止部材３を、軒樋２８の下方から延出させることができるので、軒樋２８や屋根瓦２６を破損させる恐れがなく、設置作業も簡便となる。
【図面の簡単な説明】
【００１８】
【図１】図１（ａ）は、本発明に係る引込用腕具の上面図であり、図１（ｂ）は、同引込用腕具の矢印Ａ方向からの正面図であり、図１（ｃ）は、同引込用腕具のＢ−Ｂ'断面図である。
【図２】図２は、引込用腕具を軒天井に設置した時の状態を示す下面図である。
【図３】図３は、引込用腕具を軒天井に設置した時の状態を示す側面図である。
【図４】図４は、引込線を家屋に引き込んだ状態の一例を示す図である。
【図５】図５は、家屋に設置される従来の引込手段の一例を示す図である。
【符号の説明】
【００１９】
１  引込用腕具
２  家屋側固定部材
３  引込線係止部材
５  枠部材
６  三角板
７  孔
１０ａ，１０ｂ，１０ｃ  枠部材
１１ａ，１１ｂ，１１ｃ  リング部材
１４，１５  固定部材
２０  家屋
２２  軒天井
２６  屋根瓦
２８  軒樋
３０  碍子
【図１】
2007116841.tif 000003
【図２】
2007116841.tif 000004
【図３】
2007116841.tif 000005
【図４】
2007116841.tif 000006
【図５】
2007116841.tif 000007